(57)【要約】【課題】  背部材を後方へ倒し安楽姿勢をとる場合に人の膝部を心臓の高さとほぼ同じ高さに揃えることができるようなリクライニング装置を提供する。【解決手段】  前後方向に張設される基板３と、基板３の両側に立設され、前後動可能なガイド部材２０と、ガイド部材２０に回転可能に結合される背部材５０と、ガイド部材２０に取り付けられ、基板３上を回転摺動する第１ローラ２１と、第１ローラ２１に回転可能に結合される座部材３０と、座部材３０の前方移動に伴い、座部材３０の第１ローラ取付部とは反対側の端部を基板３から上方へ離反させるため、基板３の前端部に設けられる傾斜台３８と、座部材３０に取り付けられ、傾斜台３８を回転摺動する第２ローラ３４とからリクライニング装置を構成する。【選択図】  図２
2004283553.tif 000002
【特許請求の範囲】
【請求項１】
シートの前後方向の移動に連動して背もたれが傾動するリクライニング装置であって、
脚部を含むベース部に前後方向に張設された基板と、
該基板の両側に立設され、前記基板に対して前後動可能なガイド部材と、
該ガイド部材に回転可能に結合された背部材と、
該背部材の回転運動をガイドするために前記ベース部に設けられた回転ガイド機構と、
前記ガイド部材に取り付けられ、前記基板上を回転摺動する第１ローラと、
該第１ローラに結合され、前記背部材の回転に連動して前後方向に移動する座部材と、
該座部材の前方移動に伴い、前記座部材の第１ローラ取付部とは反対側の端部を前記基板から上方へ離反させるため、前記基板の前端部に設けられた傾斜台と、
前記座部材に取り付けられ、前記傾斜台上を回転摺動する第２ローラとから構成されることを特徴とするリクライニング装置。
【請求項２】
前記ガイド部材の前後動が、前記第１ローラと、前記ガイド部材に取り付けられ、前記基板の下面を回転摺動するガイドローラとによって誘導されることを特徴とする、請求項１記載のリクライニング装置。
【請求項３】
前記ガイド部材が、その前後動をロックするためのロック手段を備えることを特徴とする、請求項１又は２記載のリクライニング装置。
【請求項４】
前記ロック手段が、前記ガイド部材を前記基板下面に圧迫するための制動部材を備えることを特徴とする、請求項３記載のリクライニング装置。
【請求項５】
前記第１ローラが、前記ガイドローラと、前記ガイド部材に取り付けられ前記制動部材を支持する制動ローラと、前記ガイド部材に取り付けられ前記背部材の回転中心である背部材回転ローラとを三点とする三角形の略中心に配置され、それにより前記座部材に下向きの荷重が加えられるとき、前記座部材から前記第２ローラに伝えられる荷重が前記第１ローラ廻りに生ずるモーメントにより、前記制動ローラに前記基板を圧迫する向きの力が発生し、
更に、前記背部材に後向きの荷重が加えられるとき、前記背部材の回転経路を規定する背部材回転ガイド溝内に配設された背部材ガイドローラ廻りに生じるモーメントにより前記背部材回転ローラに上向きの力が発生し、それにより前記制動ローラに前記基板を圧迫する向きの力が発生することを特徴とする、請求項３又は４記載のリクライニング装置。
【請求項６】
前記座部材の後端部と前記背部材の前面下端部との間に手指などの挿入を防止するための第１遮蔽板が設けられていることを特徴とする、請求項１ないし５のいずれかに記載のリクライニング装置。
【請求項７】
前記背部材の後面下端部と前記基板の後端部との間に手指などの挿入を防止するための第２遮蔽板が設けられていることを特徴とする、請求項１ないし６のいずれかに記載のリクライニング装置。
【発明の詳細な説明】
【技術分野】
【０００１】
この発明は、椅子などのリクライニング装置に関する。
【背景技術】
【０００２】
従来、椅子などにおけるリクライニング装置では、人の背部を支持するシートバック部と人の腰部及び脚部を支持するシート部とが設けられ、一般にシート部に対してシートバック部が前後方向に回転するようになっている。シートバック部とシート部とは例えばヒンジ部材などにより連結されている。
【０００３】
なお、上記のヒンジ部材などによる連結構造は周知の構造であり本願発明と関連する先行技術文献はない。
【発明の開示】
【発明が解決しようとする課題】
【０００４】
しかしながら、通常のリクライニング装置ではシート部の前後方向及び上下方向の位置は固定されており、シートバック部の前後方向への回転だけが行われる。
一般に、リクライニング装置を有する椅子などに座り、安楽姿勢をとる場合はシートバック部を後方へ回転させ傾倒させると同時にシート部の前端部を上方に持ち上げ、人の膝部を心臓とほぼ同じ高さに保つことが血液の脚部への円滑な循環の点からは好ましいとされている。しかし、シート部の前後方向及び上下方向の位置が固定されている場合は、たとえシートバック部を後方へ傾倒させたとしても人の膝部を心臓とほぼ同じ高さに保つことが困難であった。
【０００５】
又、シートバック部とシート部とを連結するヒンジ部材の回転を容易にし、且つ任意のシートバック位置においてシートバック部を停止させるためにヒンジ部材に手動レバーや電動モータなどを備えたリクライニング装置が使われることがある。しかし、手動レバーや電動モータなどを備えたリクライニング装置は構造が複雑になり部品点数が増加するだけでなくリクライニング装置の組み立てや分解にネジ回しやスパナなどの工具が必要となる。又、手動レバーや電動モータが消耗したり破損したりするとリクライニング装置の故障になる。
【０００６】
この発明は、このような事情に鑑みなされたもので、その目的は、次の３つである。
第１の目的は、人の背部を支持する背部材を後方へ倒し安楽姿勢をとる場合に人の膝部を心臓の高さとほぼ同じ高さに保つことができるリクライニング装置を提供することである。
【０００７】
第２の目的は、電動スイッチや手動レバーなどによる操作の代わりに人の体重の付加と膝や脚の動作のみで任意のリクライニング位置を安定的に得ることができるリクライニング装置を提供することである。
【０００８】
第３の目的は、手動レバーや電動モータなどの消耗や破損する可能性のある部品を使わず、ネジ回しやスパナなどの工具を用いずに手だけで組立てや分解作業を行うことができる、簡単な構造で耐久性のあるリクライニング装置を提供することである。
【課題を解決するための手段】
【０００９】
上記課題を達成するために、請求項１記載の発明のリクライニング装置は、シートの前後方向の移動に連動して背もたれが傾動するリクライニング装置であって、脚部を含むベース部に前後方向に張設された基板と、該基板の両側に立設され、前記基板に対して前後動可能なガイド部材と、該ガイド部材に回転可能に結合された背部材と、該背部材の回転運動をガイドするために前記ベース部に設けられた回転ガイド機構と、前記ガイド部材に取り付けられ、前記基板上を回転摺動する第１ローラと、該第１ローラに結合され、前記背部材の回転に連動して前後方向に移動する座部材と、該座部材の前方移動に伴い、前記座部材の第１ローラ取付部とは反対側の端部を前記基板から上方へ離反させるため、前記基板の前端部に設けられた傾斜台と、前記座部材に取り付けられ、前記傾斜台上を回転摺動する第２ローラとから構成されることを特徴としている。
【００１０】
このような構成によると、リクライニング装置の背部材に後向きの荷重が加えられる場合、リクライニング装置の背部材がベース部に設けられた回転ガイド機構にガイドされて後方へ回転し、該背部材に結合されたガイド部材が基板に沿って前方へ移動する。ガイド部材が前方へ移動すると、該ガイド部材に取り付けられ前記基板上を回転摺動する第１ローラに回転可能に結合された座部材が前方へ移動する。座部材が前方へ移動すると、該座部材に取り付けられ前記基板の前端部に設けられた傾斜台を第２ローラが前方へ回転摺動し、前記座部材の前記第１ローラ取付部とは反対側の端部即ち前記座部材の前端部が前記基板から上方へ離反するので、人の膝部が心臓の高さとほぼ同じ高さに揃えられる。それにより安楽姿勢をとる場合に人の脚部への血液の円滑な循環を自然に保つことができる。
【００１１】
又、請求項２記載の発明は、請求項１記載のリクライニング装置において、前記ガイド部材の前後動が、前記第１ローラと、前記ガイド部材に取り付けられ前記基板の下面を回転摺動するガイドローラとによって誘導されることを特徴としている。
【００１２】
このような構成によると、前記ガイド部材が前記第１ローラと前記ガイドローラによって上下に挟まれ誘導されるので前記ガイド部材の前後動が安定して滑らかに行われる。
又、請求項３記載の発明は、請求項１又は２記載のリクライニング装置において、前記ガイド部材がその前後動をロックするためのロック手段を備えることを特徴としている。
【００１３】
このような構成によると、ロック手段を用いることにより前記ガイド部材の前後動をロックすることができる。
又、請求項４記載の発明は、請求項３記載のリクライニング装置において、前記ロック手段が、前記ガイド部材を前記基板下面に圧迫するための制動部材を備えることを特徴としている。
【００１４】
このような構成によると、制動部材を前記基板下面に圧迫することにより前記ガイド部材を前記基板に圧迫することができる。
又、請求項５記載の発明は、請求項３又は４記載のリクライニング装置において、前記第１ローラが、前記ガイドローラと、前記ガイド部材に取り付けられ前記制動部材を支持する制動ローラと、前記ガイド部材に取り付けられ前記背部材の回転中心である背部材回転ローラとを三点とする三角形の略中心に配置され、それにより前記座部材に下向きの荷重が加えられるとき前記座部材から前記第２ローラに伝えられる荷重が前記第１ローラ廻りに生ずるモーメントにより、前記制動ローラに前記基板を圧迫する向きの力が発生し、更に前記背部材に後向きの荷重が加えられるとき、前記背部材の回転経路を規定する背部材回転ガイド溝内に配設された背部材ガイドローラ廻りに生じるモーメントにより前記背部材回転ローラに上向きの力が発生し、それにより前記制動ローラに前記基板を圧迫する向きの力が発生することを特徴としている。
【００１５】
このような構成によると、前記座部材に下向きの荷重が加えられるとき、前記座部材から前記第２ローラに伝えられる荷重が前記第１ローラ廻りに生ずるモーメントにより、前記制動ローラに前記基板を圧迫する向きの力が発生しそれにより前記ガイド部材に上向きの力が生じ前記ガイド部材に取り付けられている前記制動部材が前記基板に圧迫される。このように前記制動部材が前記基板に圧迫されることにより前記ガイド部材がロックされる。又、その状態において、更に、前記背部材に後向きの荷重が加えられると、前記背部材の回転経路を規定する背部材回転ガイド溝内に配設された背部材ガイドローラ廻りに生ずるモーメントにより、前記背部材回転ローラに上向きの力が発生する。それにより前記制動ローラに前記基板を圧迫する向きの力が発生し、前記ガイド部材に上向きの力が生じ前記ガイド部材に取り付けられている前記制動部材が前記基板に圧迫される。従って、前記制動部材の前記基板への圧迫力が更に高められ前記ガイド部材のロック力が更に高められることになる。
【００１６】
この場合、前記背部材の任意のリクライニング位置において、前記座部材に下向きの荷重を加え、更に前記背部材に後向きの荷重を加えるだけで前記ガイド部材がロックされるので、リクライニング装置を無段階に任意の位置で安定し停止させることができる。しかもこの操作は、座部材への脚や膝などによる下向きの荷重の付加及び背部材への後向きの荷重の付加だけで行われるので、リクライニング装置に電動スイッチや手動レバーなどを設ける必要がなく電動スイッチや手動レバーなどによる操作を必要としない。
【００１７】
電動スイッチや手動レバーなどを使わないため、構造が簡単になりネジ回しやスパナなどの工具を用いずに手だけで組立てや分解作業を行うことができる。
又、請求項６記載の発明は、請求項１ないし５のいずれかに記載のリクライニング装置において、前記座部材の後端部と前記背部材の前面下端部との間に手指などの挿入を防止するための第１遮蔽板が設けられていることを特徴としている。
【００１８】
このような構成によると、第１遮蔽板が設けられているために前記座部材の後端部と前記背部材の前面下端部との間に手指などを挿入することがないので、前記座部材の後端部と前記背部材の前面下端部との間に手指などを挿入し詰めるおそれがなく不慮の傷害を未然に防止することができる。
【００１９】
又、請求項７記載の発明は、請求項１ないし６のいずれかに記載のリクライニング装置において、前記背部材の後面下端部と前記基板の後端部との間に手指などの挿入を防止するための第２遮蔽板が設けられていることを特徴としている。
【００２０】
このような構成によると、第２遮蔽板が設けられているために前記背部材の後面下端部と前記基板の後端部との間に手指などを挿入することがないので、前記背部材の後面下端部と前記基板の後端部との間に手指などを挿入し詰めるおそれがなく不慮の傷害を未然に防止することができる。
【発明を実施するための最良の形態】
【００２１】
以下に、この発明の実施形態を添付図面に基づいて説明する。
図１は、リクライニング装置の分解斜視図である。図２は、リクライニング装置の作動前の状態を示す側面図である。図３は、リクライニング装置の作動中の状態を示す側面図である。
【００２２】
図１、図２を参照してリクライニング装置の構成を説明する。なお、この発明に係るリクライニング装置は左右対称形であるので、以下の説明においては特に断らない限りリクライニング装置の左側（図１のＬＨ方向側）についてのみ説明し、リクライニング装置の右側（図１のＲＨ方向側）については説明を省略する。
【００２３】
図１に示すリクライニング装置２は、基板３、ガイド部材２０、座部材３０、傾斜台３８、背部材５０、肘掛け部材１０、第１遮蔽板３９及び第２遮蔽板６９などから構成されている。
【００２４】
基板３は、図１に示す下部に脚部が形成された肘掛け部材１０を構成するベース部１２に前後方向（図１のＦ又はＲ方向）に張設された板状の部材である。基板３の前側（図１のＦ方向側）は前側フレーム４によって支持されている。前側フレーム４は左右方向（図１のＬＨ又はＲＨ方向）に設けられた板状の部材で、その左右両端から前側フレーム４に取り付けられた前側通しボルト６ａが左右方向に延出している。前側通しボルト６ａの左右両端部にはネジ部（図示せず）が設けられている。基板３の後側（図１のＲ方向側）は後側フレーム５によって支持されている。後側フレーム５は左右方向（図１のＬＨ又はＲＨ方向）に設けられた板状の部材で、その左右両端から後側フレーム５に取り付けられた後側通しボルト６ｂが左右方向に延出している。後側通しボルト６ｂの左右両端部にはネジ部（図示せず）が設けられている。
【００２５】
基板３の左右両側（図１のＬＨ及びＲＨ方向側）には、ガイド部材２０がそれぞれ対向して立設されている。ガイド部材２０は、基板３に対して前後動可能に設けられている。ガイド部材２０は、多辺形の板部材である。左右のガイド部材２０は、左右方向（図１のＬＨ又はＲＨ方向）に設けられた第１ローラ２１、ガイドローラ２３、制動ローラ２７及び背部材回転ローラ５５で互いに連結されている。
【００２６】
第１ローラ２１、ガイドローラ２３、制動ローラ２７及び背部材回転ローラ５５は、それらの両端部においてそれぞれ軸受によって回転可能にガイド部材２０に取り付けられている。第１ローラ２１、ガイドローラ２３、制動ローラ２７及び背部材回転ローラ５５は真っ直ぐな丸棒であり、例えば、直径１０〜１２ｍｍの鋼材から作られる。
【００２７】
第１ローラ２１は、ガイド部材２０のほぼ中央部に配設され、基板３の上面を前後方向に回転摺動する。ガイドローラ２３は、基板３の下面に沿って前後方向に回転摺動する。従って、ガイド部材２０が前後方向に移動するとき、第１ローラ２１とガイドローラ２３が基板３を上下で挟むようにして回転摺動するのでガイド部材２０の前後動が安定して滑らかに行われる。第１ローラ２１は、又、後述のように座部材３０を回転可能に支持している。
【００２８】
制動ローラ２７は、基板３の下面に沿って左右方向に差し渡された制動部材２５を支持している。制動部材２５はロック手段に相当し、四辺形断面を有する角柱である。制動部材２５は、制動部材２５の上面と基板３の下面との間に図２に示す微小隙間δが生じるように制動ローラ２５に取り付けられている。
【００２９】
背部材回転ローラ５５は、背部材５０をガイド部材２０に回転可能に結合している。
第１ローラ２１、ガイドローラ２３、制動ローラ２７及び背部材回転ローラ５５の側面から見た相互の位置関係は、図２に示すように第１ローラ２１が、ガイドローラ２３と、ガイド部材２０に取り付けられ制動部材２５を支持する制動ローラ２７と、ガイド部材２０に取り付けられ背部材５０の回転中心である背部材回転ローラ５５とを三点として形成される三角形の略中心に配置されている。
【００３０】
座部材３０は、人の腰部及び脚部を支持する部材である。座部材３０は、人の腰部及び脚部を支える座板３１、座板３１の前端に左右方向に設けられた縦部材である前板３３、座板３１の左右両端に前後方向に設けられた縦部材である側板３２から構成されている。座板３１、前板３３、側板３２は接着剤による接合やネジ止めによる結合あるいはその両方を用いて結合することができる。あるいは座板３１、前板３３、側板３２を一体的に成形してもよい。座部材３０の後側は前述の第１ローラ２１によって、第１ローラ２１廻りにガイド部材２０に結合されている。
【００３１】
座部材３０の側板３２の前後方向のほぼ中央部には、第２ローラ３４が左右の側板３２の間に差し渡されている。第２ローラ３４の両端部は側板３２側に設けられた第２ローラ軸受３４ａによって回転可能に軸支されている。第２ローラ３４は真っ直ぐな丸棒であり例えば直径１０〜１２ｍｍの鋼材から作られる。
【００３２】
第２ローラ３４は、基板３の前端部に設けられた傾斜台３８の上面に沿って回転摺動する。傾斜台３８は、図２に示すように、基板３から前方（図２のＦ方向）且つ上方（図２のＵ方向）に向かって伸びる平坦面を備え、第２ローラ３４のガイド面を形成する。
【００３３】
背部材５０は、人の背部を支持する部材である。背部材５０は、背部材側板５１と背板５９とから構成される。背部材側板５１と背板５９は接着剤による接合やネジ止めによる結合あるいはその両方を用いて結合することができる。あるいは背部材側板５１と背板５９を一体的に成形してもよい。背部材側板５１の上下方向のほぼ中央部には背部材ガイドローラ５８が左右の背部材側板５１の間に差し渡されている。背部材ガイドローラ５８の両端部は背部材側板５１側に設けられた背部材ガイドローラ軸受５８ａによって回転可能に軸支されている。背部材ガイドローラ５８は、真っ直ぐな丸棒であり、例えば、直径１０〜１２ｍｍの鋼材から作られる。背部材ガイドローラ５８は、肘掛け部材１０のベース部１２の一部に設けられた背部材回転ガイド溝１８に沿って動かされる。背部材ガイドローラ５８と背部材回転ガイド溝１８は背部材５０の回転運動をガイドする回転ガイド機構に相当する。従って、図２に示すように、背部材５０の後方（図２のＲ方向）への回転は背部材回転ローラ５５を中心として行われ、その回転軌跡は後述の肘掛け部材１０のベース部１２に設けられた背部材回転ガイド溝１８によって規定される。
【００３４】
肘掛け部材１０は、人の肘部及び腕部を支持する部材である。肘掛け部材１０は、図１に示すように肘掛け部１１とベース部１２とから構成される。ベース部１２には、前述のように背部材５０の回転運動をガイドするための回転ガイド機構を構成する背部材回転ガイド溝１８が設けられている。肘掛け部材１０を基板３に結合するには、ベース部１２の前側に設けられた貫通穴１３に前側フレーム４から左右両側に延出した前側通しボルト６ａを貫通させた後ワッシャ１４を介して握りナット１４ｂを外側から締め付ける。握りナット１４ｂの内側には図１のＡ−Ａ断面に示す埋め込みナット１４ｃが設けられている。従って、通しボルト６ａの左右両端部に設けられたネジ部が埋め込みナット１４ｃと螺合する。同様にベース部１２の後側に設けられた貫通穴１３に後側フレーム５から左右両側に延出した後側通しボルト６ｂを貫通させた後ワッシャ１４を介して握りナット１４ｂを外側から締め付ける。
【００３５】
このような構成によると、リクライニング装置２の組み立てを握りナット１４ｂの締め付けだけで行うことができるので、構造が簡単であり、ネジ回しやスパナなどの工具を用いずに手だけで容易に短時間で組み立てることができる。リクライニング装置２を分解する場合も握りナット１４ｂを緩めるだけでよくネジ回しやスパナなどの工具を用いずに手だけで容易に短時間で分解することができる。
【００３６】
又、リクライニング装置２の主要構成部品は、基板３、ガイド部材２０、座部材３０、傾斜台３８、背部材５０、肘掛け部材１０、第１遮蔽板３９、第２遮蔽板６９及びこれらの部材を連結するローラ、軸受及びネジなどである。ローラ、軸受及びネジなどは一旦取り付けてしまうと殆ど消耗や破損するおそれがなく交換する必要が殆どない。従って、リクライニング装置２は消耗や破損するおそれのある部品を用いていないため耐久性に優れている。
【００３７】
第１遮蔽板３９は、座部材３０の後端部と背部材５０の前面下端部との間に着脱自在に嵌入されており座部材３０の後端部と背部材５０の前面下端部との間の間隙が常に第１遮蔽板３９によって塞がれている。従って座部材３０の後端部と背部材５０の前面下端部との間に手指などを挿入し詰めるおそれがなく不慮の傷害を未然に防止することができる。
【００３８】
第２遮蔽板６９は、背部材５０の後面下端部と基板３の後端部との間に嵌入されており背部材５０の後面下端部と基板３の後端部との間の間隙が第２遮蔽板６９によって塞がれている。第２遮蔽板６９は、ピン６９ｂによって回転可能に軸支されており、ピン６９ｂの両端部は第２遮蔽板６９より左右方向（図１のＬＨあるいはＲＨ方向）に延出し肘掛け部材１０のベース部１２の内側に設けられた穴（図示せず）に嵌入されている。第２遮蔽板６９の前面（図２のＦ方向側）には第２遮蔽板６９の上端（図２のＵ方向側）を常に背部材５０の後端面に接するように保つためのバランサー６９ａが設けられている。従って背部材５０が回転しても第２遮蔽板６９の上端が常に背部材５０の後端面に接するため、背部材５０の後端面とバランサー６９との間あるいは背部材５０の後端面と基板３の後端部との間に手指などを挿入し詰めるおそれがなく不慮の傷害を未然に防止することができる。なお、第２遮蔽板６９とバランサー６９ａは予め別々に成形し接着剤などにより接合することができるが一体的に成形してもよい。
【００３９】
次に、図２と図３を参照してリクライニング装置の作動状況を説明する。図２は、リクライニング装置が作動する前の状態を示しており、図３は、リクライニング装置が作動中の状態を示している。
【００４０】
図２において、座部材３０は基板３の最後端（図２のＲ方向側）位置にあり、背部材５０は直立状態にある。この状態からリクライニング装置を作動させるには、座部材３０に人が座って背部材５０の背板５９に背中で後向きの荷重ｇbを加え、背部材５０を背部材回転ローラ５５廻りに後方（図２のＲ方向）へ回転させる。
【００４１】
そうすると、図３に示すように、背部材５０の後方への回転に連動してガイド部材２０が前方（図３のＦ方向）に移動する。なお、背部材５０の回転軌跡は前述のように肘掛け部材１０の足部材１２に設けられた背部材回転ガイド溝１８とその溝内を移動する背部材回転ローラ５５とによって規定される。
【００４２】
ガイド部材２０が前方へ移動すると、ガイド部材２０に取り付けられた第１ローラ２１に結合されている座部材３０が前方へ移動する。座部材３０が前方へ移動すると、座部材３０に取り付けられた第２ロ−ラ３４が傾斜台３８に沿って前方へ回転摺動する。それにより、座部材３０の前端部である前板３３は基板３から上方（図３のＵ方向）へ離反する方向に移動する。このようにして背部材５０が後方に回転すると同時に座部材３０の前端部が持ち上げられるので、リクライニング装置を使用している人の膝部が心臓の高さとほぼ同じ高さに揃えられる。そのような安楽姿勢をとると、人の脚部への血液の円滑な循環を自然に保つことができる。
【００４３】
この状態で座部材３０の前後動と背部材５０の回転を停止させるには、ガイド部材２０をロックさせればよい。ガイド部材２０をロックさせるには人が座っている座部材３０に体重を加えるとよい。即ち、踏ん張っていた足先を床面から外し上脚部で座部材３０の座板３１に下向き（図３のＤ方向）の荷重Ｇｄを加える。そうすると、図３に示すように、下向きの荷重Ｇｄが第２ローラ３４を介して第１ローラ２１廻りに生ずるモーメントにより、制動ローラ２７に上向きの力が発生する。それによりガイド部材２０に上向きの力が生じガイド部材２０に取り付けられている制動部材２５の上面と基板３の下面との間の微小隙間δが消失し、制動部材２５の上面が基板３の下面に圧迫される。
【００４４】
又、ガイド部材２０のロックは、このように座部材３０に下向きの荷重Ｇｄが加えられているときに、背部材５０に後向きの荷重Ｇｂを加えることによって制動部材２５のロック力を更に高めることができる。それには、人が背中で背部材５０の背板５９を後方に押し背部材５０に後向きの荷重Ｇｂを加えるとよい。背部材５０に後向きの荷重Ｇｂを加えると、背部材５０の回転経路を規定する背部材回転ガイド溝１８内に配設された背部材ガイドローラ５８廻りに生ずるモーメントにより、背部材回転ローラ５８に上向きの力が生じ、制動ローラ２７に上向きの力が発生する。それにより、同様にガイド部材２０に上向きの力が生じガイド部材２０に取り付けられている制動部材２５が基板３に圧迫される。従って、制動部材２５のロック力が更に高められる。このようにして制動部材２５が基板３に圧迫されることによりガイド部材２０のロック力が更に高められる。
【００４５】
なお、この場合、背部材５０の任意のリクライニング位置において、座部材３０に下向きの荷重を加え、且つ、背部材５０に後向きの荷重を加えるだけでガイド部材２０がロックされるのでリクライニング装置２を無段階に任意の位置で安定し停止させることができる。しかもこの操作は、座部材３０への脚や膝などによる下向きの荷重の付加と背部材５０への後向きの荷重の付加だけで行われるので、リクライニング装置２に電動モータや手動レバーなどを設ける必要がなく、電動モータや手動レバーなどによる操作を必要としない。
【００４６】
次に、任意のリクライニング位置でロックされたリクライニング装置２を更にリクライニングさせるためには、足先を床面に付けて踏んばり上脚部が座部材３０に下向きに加えていた荷重を軽減させると同時に背中で背部材５０の背板５９を押して背部材５０に後向きの荷重Ｇｂを加えるとよい。背部材５０を更に回転させた位置でリクライニング装置２をロックするには前述の場合と同様にして座部材３０の前後動と背部材５０の回転を停止させ、ガイド部材２０を次のようにしてロックさせる。即ち、図３において、脚や膝などにより座部材３０に下向き（図３のＤ方向）の荷重Ｇｄを加える。下向きの荷重Ｇｄが第２ローラ３４を介して第１ローラ２１廻りに生ずるモーメントにより、制動ローラ２７に上向きの力が発生する。それによりガイド部材２０に上向きの力が生じガイド部材２０に取り付けられている制動部材２５の上面と基板３の下面との間の微小隙間δが消失し、制動部材２５の上面が基板３の下面に圧迫される。
【００４７】
又、このようにリクライニング位置にあったリクライニング装置２を元の作動前の状態に戻すには足先を床面に付けて踏んばり上脚部が座部材３０に下向きに加えていた荷重を軽減させると同時に背部材５０から背中を起こすとよい。それにより背部材５０から体重の力が外れガイド部材２０には座部材３０の体重の力のみが残るので、ガイド部材２０が後方に移動しそれに連動して背部材５０が前方に回転し普段の姿勢の立った状態になる。
【００４８】
以上、本発明の一実施形態について説明したが、請求項１に記載の回転ガイド機構は背部材回転ガイド溝１８と背部材回転ガイドローラ５８が相当する。又、請求項３及び請求項４に記載のロック手段は、制動部材２５が相当する。
【図面の簡単な説明】
【００４９】
【図１】リクライニング装置の分解斜視図である。
【図２】リクライニング装置の作動前の状態を示す側面図である。
【図３】リクライニング装置の作動中の状態を示す側面図である。
【符号の説明】
【００５０】
２・・・リクライニング装置              ３・・・基板
４・・・前側フレーム                    ５・・・後側フレーム
６ａ・・・前側通しボルト                ６ｂ・・・後側通しボルト
１０・・・肘掛け部材                    １１・・・肘掛け部
１２・・・ベース部                      １３・・・貫通穴
１４ａ・・・ワッシャ                    １４ｂ・・・握りナット
１４ｃ・・・埋め込みナット              １８・・・背部材回転ガイド溝
２０・・・ガイド部材                    ２１・・・第１ローラ
２３・・・ガイドローラ                  ２５・・・制動部材
２７・・・制動ローラ                    ３０・・・座部材
３１・・・座板                          ３２・・・側板
３３・・・前板                          ３４・・・第２ローラ
３４ａ・・・第２ローラ軸受              ３８・・・傾斜台
３９・・・第１遮蔽板                    ５０・・・背部材
５１・・・背部材側板                    ５５・・・背部材回転ローラ
５５ａ・・・背部材回転ローラ軸受        ５８・・・背部材ガイドローラ
５８ａ・・・背部材ガイドローラ軸受      ５９・・・背板
６９・・・第２遮蔽板                    ６９ａ・・・バランサー
６９ｂ・・・ピン
【図１】
2004283553.tif 000003
【図２】
2004283553.tif 000004
【図３】
2004283553.tif 000005
【手続補正書】
【提出日】平成16年6月2日(2004.6.2)
【手続補正１】
【補正対象書類名】図面
【補正対象項目名】図２
【補正方法】変更
【補正の内容】
【図２】
2004283553.tif 000006
【手続補正２】
【補正対象書類名】図面
【補正対象項目名】図３
【補正方法】変更
【補正の内容】
【図３】
2004283553.tif 000007